(57)【特許請求の範囲】
【請求項１】
油圧発生源の油圧に基づき油圧制御を行い、自動変速機を制御する自動変速機の油圧制御装置において、
信号圧を出力するソレノイドバルブと、
第１の油室と該第１の油室に対向配置される第２の油室を有し、前記ソレノイドバルブの信号圧を前記第１の油室に入力し、該信号圧に基づいて前記油圧発生源の油圧を調圧して出力する第１のコントロールバルブと、
前記油圧発生源の油圧と、前記第１のコントロールバルブより出力される油圧と、を入力し、いずれか一方を切替え出力する切替えバルブと、
前記切替えバルブの出力を、前記第１のコントロールバルブの前記第２の油室に入力させる油路と、を備え、
前記切替えバルブが前記第１のコントロールバルブより出力される油圧を出力する際は、該調圧された油圧を前記第２の油室に作用させて前記第１のコントロールバルブをフィードバック制御し、前記切替えバルブが前記油圧発生源の油圧を出力する際は、該油圧発生源の油圧を前記第２の油室に作用させて前記第１のコントロールバルブを固定する、
ことを特徴とする自動変速機の油圧制御装置。
【請求項２】
前記ソレノイドバルブは、前記信号圧を複数のバルブに出力してなる、
請求項１記載の自動変速機の油圧制御装置。
【請求項３】
前記自動変速機は、ベルトを２つのプーリにより挟持し、前記プーリの幅を変更して変速を行う無段変速機であり、
前記プーリの挟持力を供給される油圧に基づき制御する油圧サーボと、
前記油圧サーボに供給する油圧を前記ソレノイドバルブの信号圧に基づいて制御する第２のコントロールバルブと、を備え、
前記ソレノイドバルブが前記信号圧を出力する前記複数のバルブは、前記第１のコントロールバルブと前記第２のコントロールバルブとである、
請求項２記載の自動変速機の油圧制御装置。
【請求項４】
発進時に係合される摩擦係合要素と、
前記油圧発生源の油圧を所定圧に調圧し、前記第１のコントロールバルブと前記切替えバルブとに出力する調圧バルブと、を備え、
前記第１のコントロールバルブは、発進状態にて、前記ソレノイドバルブの信号圧に基づいて前記調圧バルブにより調圧された油圧を調圧して前記摩擦係合要素に出力し、
前記切替えバルブは、走行状態にて、前記調圧バルブにより調圧された油圧に切替えて前記摩擦係合要素に出力してなる、
請求項１ないし３のいずれか記載の自動変速機の油圧制御装置。
【発明の詳細な説明】
【０００１】
【発明の属する技術分野】
本発明は車輌等に搭載される自動変速機の油圧制御装置に係り、詳しくは、切替えバルブの切替えにより、コントロールバルブから出力される油圧を使用しない際に、該コントロールバルブを固定することが可能な油圧制御装置に関する。
【０００２】
【従来の技術】
まず、従来の自動変速機の油圧制御装置の一例について図３及び図４に沿って説明する。図３は従来の自動変速機の油圧制御装置１００の油圧回路を示す図、図４は図３の油圧回路の一部を示す模式図である。
【０００３】
図３において、ＳＬＴはスロットル開度などに基づいて信号圧（ＳＬＴ圧）Ｐｓｌｔを昇圧して油路ａ１，ａ２に出力するリニアソレノイドバルブ、７６は不図示の油圧発生源からのライン圧ＰＬを調圧して油路ｃ１、ｃ４、及びストレーナ８５を介して油路ｃ２，ｃ３，ｃ５にレンジ圧（クラッチモジュレータ圧）Ｐｃｍｏｄとして出力するクラッチモジュレータバルブ、８３は油路ｃ５のレンジ圧を所定量減圧してソレノイドモジュレータ圧として油路ｇ１、ｇ２、及びソレノイドバルブＳＯＬ１，ＳＯＬ２に出力するソレノイドモジュレータバルブ、７３は油路ｇ２からのソレノイドモジュレータ圧、及び油路ａ１からのＳＬＴ圧Ｐｓｌｔに基づいて、上記ライン圧ＰＬをセカンダリシーブ圧に調圧して無段変速機構のセカンダリシーブ３５に出力するセカンダリシーブコントロールバルブである。
【０００４】
また、図３及び図４に示すように、７７は油路ｃ４からのレンジ圧を油路ａ２からのＳＬＴ圧Ｐｓｌｔに基づいて、該リニアソレノイドバルブＳＬＴによりクラッチＣ１又はブレーキＢ１の係合状態を直接制御するための直接制御圧に調圧し、油路ｋ１から出力するガレージシフトコントロールバルブ、７９はソレノイドバルブＳＯＬ１，ＳＯＬ２の信号圧Ｐｓｏｌ１，Ｐｓｏｌ２に基づいて油路ｃ２からのレンジ圧Ｐｃｍｏｄ、又は油路ｋ１からの直接制御圧を切替えて油路ｌに出力するガレージシフトバルブ、７５は不図示のシフトレバーに連動し、油路ｌのレンジ圧又は直接制御圧を、Ｄレンジであれば油路ｄを介してクラッチＣ１の油圧サーボ３０に、Ｒレンジであれば油路ｅを介してブレーキＢ１の油圧サーボ３１に出力するマニュアルシフトバルブである。
【０００５】
そして、上記ガレージシフトコントロールバルブ７７から油路ｋ１に出力される直接制御圧は、該バルブ７７における油路ａ２からのＳＬＴ圧Ｐｓｌｔに対向作用するように油路ｋ２を介してフィードバック圧が入力されており、該直接制御圧のフィードバック制御を行っている。
【０００６】
なお、図３において、８７はオイル温度センサ、８９は圧力センサであり、また、クラッチモジュレータバルブ７６、ソレノイドモジュレータバルブ８３、セカンダリシーブコントロールバルブ７３には、上記ガレージシフトコントロールバルブ７７と同様にフィードバック圧が入力されている。
【０００７】
【発明が解決しようとする課題】
ところで、上記自動変速機の油圧制御装置１００において、例えば不図示のシフトレバーが切替えられた際などは、上記ガレージシフトコントロールバルブ７７の直接制御圧をガレージシフトバルブ７９を介して上記クラッチＣ１の油圧サーボ３０又はブレーキＢ１の油圧サーボ３１に供給して、それらクラッチＣ１又はブレーキＢ１の係合状態をコントロールし、例えば車輌が走行状態になると、該ガレージシフトバルブ７９を切替えて、上記クラッチモジュレータバルブ７６のレンジ圧ＰｃｍｏｄをクラッチＣ１の油圧サーボ３０又はブレーキＢ１の油圧サーボ３１に供給して、それらクラッチＣ１又はブレーキＢ１を完全係合状態にする。
【０００８】
しかしながら、図３に示すように、クラッチモジュレータバルブ７６のレンジ圧ＰｃｍｏｄをクラッチＣ１又はブレーキＢ１に供給している場合であっても、リニアソレノイドバルブＳＬＴがセカンダリシーブコントロールバルブ７３を制御し、無段変速機構のセカンダリシーブ３５を制御しているため、同時にガレージシフトコントロールバルブ７７は油路ａ２を介して上記リニアソレノイドバルブＳＬＴにより制御されてしまう。この間は、クラッチモジュレータバルブ７６から油路ｃ４を介して供給されるレンジ圧Ｐｃｍｏｄを、上記リニアソレノイドバルブＳＬＴのＳＬＴ圧に基づいて油路ｋ１に調圧して出力し、油路ｋ２を介してフィードバック制御されるとドレーンポートＥＸより排出（ドレーン）して低い油圧に調圧することを繰り返している。
【０００９】
つまり、ガレージシフトバルブ７９によりガレージシフトコントロールバルブ７７の出力が遮断され、該ガレージシフトコントロールバルブ７７の調圧が不要であるにも拘らず、不図示のオイルポンプからクラッチモジュレータバルブ７６及び油路ｃ４を介して供給されるオイルをドレーンポートＥＸに無駄に排出しており、このため、該油圧制御装置１００における消費油量が増加し、オイルポンプの大型化やオイルポンプの効率低下による車輌の燃費の悪化などを招いている。
【００１０】
そこで本発明は、切替えバルブが第１のコントロールバルブより出力される油圧を出力する際は、油路を介して第１のコントロールバルブをフィードバック制御し、切替えバルブが油圧発生源の油圧を出力する際は、油路を介して第１のコントロールバルブを固定し、もって上記課題を解決した自動変速機の油圧制御装置を提供することを目的とするものである。
【００１１】
【課題を解決するための手段】
請求項１に係る本発明は（例えば図１及び図２参照）、油圧発生源の油圧に基づき油圧制御を行い、自動変速機を制御する自動変速機の油圧制御装置（１）において、
信号圧（Ｐｓｌｔ）を出力するソレノイドバルブ（ＳＬＴ）と、
第１の油室（７７ａ）と該第１の油室（７７ａ）に対向配置される第２の油室（７７ｃ）を有し、前記ソレノイドバルブ（ＳＬＴ）の信号圧（Ｐｓｌｔ）を前記第１の油室（７７ａ）に入力し、該信号圧（Ｐｓｌｔ）に基づいて前記油圧発生源の油圧（例えばＰｃｍｏｄ）を調圧して出力する第１のコントロールバルブ（７７）と、
前記油圧発生源の油圧（例えばＰｃｍｏｄ）と、前記第１のコントロールバルブ（７７）より出力される油圧と、を入力し、いずれか一方を切替え出力する切替えバルブ（７９）と、
前記切替えバルブ（７９）の出力を、前記第１のコントロールバルブ（７７）の前記第２の油室（７７ｃ）に入力させる油路（ｍ）と、を備え、
前記切替えバルブ（７９）が前記第１のコントロールバルブ（７７）より出力される油圧を出力する際は、該調圧された油圧を前記第２の油室（７７ｃ）に作用させて前記第１のコントロールバルブ（７７）をフィードバック制御し、前記切替えバルブ（７９）が前記油圧発生源の油圧（例えばＰｃｍｏｄ）を出力する際は、該油圧発生源の油圧（例えばＰｃｍｏｄ）を前記第２の油室（７７ｃ）に作用させて前記第１のコントロールバルブ（７７）を固定する、
ことを特徴とする自動変速機の油圧制御装置（１）にある。
【００１２】
請求項２に係る本発明は（例えば図１参照）、前記ソレノイドバルブ（ＳＬＴ）は、前記信号圧（Ｐｓｌｔ）を複数のバルブ（例えば７７，７３）に出力してなる、
請求項１記載の自動変速機の油圧制御装置（１）にある。
【００１３】
請求項３に係る本発明は（例えば図１参照）、前記自動変速機は、ベルトを２つのプーリにより挟持し、前記プーリの幅を変更して変速を行う無段変速機であり、
前記プーリの挟持力を供給される油圧に基づき制御する油圧サーボ（３５）と、
前記油圧サーボ（３５）に供給する油圧を前記ソレノイドバルブ（ＳＬＴ）の信号圧に基づいて制御する第２のコントロールバルブ（７３）と、を備え、
前記ソレノイドバルブ（ＳＬＴ）が前記信号圧を出力する前記複数のバルブは、前記第１のコントロールバルブ（７７）と前記第２のコントロールバルブ（７３）とである、
請求項２記載の自動変速機の油圧制御装置（１）にある。
【００１４】
請求項４に係る本発明は（例えば図１及び図２参照）、発進時に係合される摩擦係合要素（Ｃ１，Ｂ１）と、
前記油圧発生源の油圧を所定圧（Ｐｃｍｏｄ）に調圧して出力する調圧バルブ（７６）と、を備え、
前記第１のコントロールバルブ（７７）は、発進状態にて、前記ソレノイドバルブ（ＳＬＴ）の信号圧（Ｐｓｌｔ）に基づいて前記調圧バルブ（７６）により調圧された油圧（Ｐｃｍｏｄ）を調圧して前記摩擦係合要素（Ｃ１，Ｂ１）に出力し、
前記切替えバルブ（７９）は、走行状態にて、前記調圧バルブ（７６）により前記調圧バルブ（７６）により調圧された油圧（Ｐｃｍｏｄ）に切替えて前記摩擦係合要素（Ｃ１，Ｂ１）に出力してなる、
請求項１ないし３のいずれか記載の自動変速機の油圧制御装置（１）にある。
【００１５】
なお、上記カッコ内の符号は、図面と対照するためのものであるが、これは、発明の理解を容易にするための便宜的なものであり、特許請求の範囲の構成に何等影響を及ぼすものではない。
【００１６】
【発明の効果】
請求項１に係る本発明によると、切替えバルブの出力を、第１のコントロールバルブの第２の油室に入力させる油路を備えて、切替えバルブが第１のコントロールバルブより出力される油圧を出力する際は、該調圧された油圧を第２の油室に作用させて第１のコントロールバルブをフィードバック制御し、切替えバルブが油圧発生源の油圧を出力する際は、該油圧発生源の油圧を第２の油室に作用させて第１のコントロールバルブを固定するので、第１のコントロールバルブより出力される油圧を使用する際には、フィードバック制御することができるものでありながら、第１のコントロールバルブより出力される油圧を使用しない際には、該第１のコントロールバルブを固定することができる。それにより、第１のコントロールバルブの調圧を行わずに無駄なオイルの排出を防ぐことができるため、自動変速機の油圧制御装置における消費油量を低減することができ、オイルポンプの小型化やオイルポンプの効率向上による車輌の燃費の向上を可能とすることができる。
【００１７】
請求項２に係る本発明によると、ソレノイドバルブは、信号圧を複数のバルブに出力しているため、例えば第１のコントロールバルブを固定しないと、その他のバルブを制御するために該第１のコントロールバルブも同時に調圧を行ってしまうが、該第１のコントロールバルブを固定することができるので、調圧を行わずに無駄なオイルの排出を防ぐことができ、それにより、自動変速機の油圧制御装置における消費油量を低減することができるため、オイルポンプの小型化やオイルポンプの効率向上による車輌の燃費の向上を可能とすることができる。
【００１８】
請求項３に係る本発明によると、自動変速機が、ベルトを２つのプーリにより挟持し、該プーリの幅を変更して変速を行う無段変速機であって、ソレノイドバルブが、第１のコントロールバルブと、プーリの挟持力を制御する油圧サーボに供給する油圧を制御する第２のコントロールバルブと、に信号圧を出力するので、例えば第１のコントロールバルブを固定しないと、該ソレノイドバルブによりプーリの挟持力を制御する際に該第１のコントロールバルブも同時に調圧を行ってしまうが、該第１のコントロールバルブを固定することができるので、調圧を行わずに無駄なオイルの排出を防ぐことができ、それにより、自動変速機の油圧制御装置における消費油量を低減することができるため、オイルポンプの小型化やオイルポンプの効率向上による車輌の燃費の向上を可能とすることができる。
【００１９】
請求項４に係る本発明によると、第１のコントロールバルブは、発進状態にて、ソレノイドバルブの信号圧に基づいて調圧バルブにより調圧された油圧を調圧して摩擦係合要素に出力し、切替えバルブは、走行状態にて、調圧バルブにより調圧された油圧に切替えて摩擦係合要素に出力するので、例えば第１のコントロールバルブを固定しないと、走行状態にて該第１のコントロールバルブが調圧を行ってしまうが、走行状態にて該第１のコントロールバルブを固定することができるので、走行状態における無駄なオイルの排出を防ぐことができ、それにより、自動変速機の油圧制御装置における消費油量を低減することができるため、オイルポンプの小型化やオイルポンプの効率向上による車輌の燃費の向上を可能とすることができる。
【００２０】
【発明の実施の形態】
以下、本発明に係る実施の形態を図に沿って説明する。
【００２１】
まず、本発明に係る無段変速機の油圧制御装置１について図１に沿って説明する。図１は本発明に係る無段変速機の油圧制御装置の油圧回路を示す図である。なお、従来の技術において説明したものと、同様のものには同符号を付して、その説明をする。また、図１に示す無段変速機の油圧制御装置１は、本発明に係る部分を示したものであり、その他、複数のバルブや油路により構成されているものであるが、説明の便宜上、その説明を省略する。
【００２２】
図において、ＳＬＴはスロットル開度などに基づき信号圧（ＳＬＴ圧）Ｐｓｌｔを出力するリニアソレノイドバルブ、７３は無段変速機構のセカンダリシーブ（プーリ）に供給する油圧をコントロール制御するセカンダリシーブコントロールバルブ（第２のコントロールバルブ）、７５は運転者のシフトレバー等の操作により切替えられるマニュアルシフトバルブ、７６は不図示のオイルポンプ、プライマリレギュレータバルブ、セカンダリレギュレータバルブなどにより構成される油圧発生源の油圧（ライン圧ＰＬ）を調圧し、前進時に係合するクラッチ（摩擦係合要素）Ｃ１及び後進時に係合するブレーキ（摩擦係合要素）Ｂ１の油圧サーボ３０，３１に供給する油圧、いわゆるクラッチモジュレータ（レンジ）圧Ｐｃｍｏｄを出力するクラッチモジュレータバルブ（調圧バルブ）である。
【００２３】
また、７７はクラッチＣ１及びブレーキＢ１の切替え時など、つまり発進状態に、上記クラッチモジュレータバルブ７６により調圧された油圧発生源の油圧を上記油圧サーボ３０，３１へ供給するコントロール圧に調圧し、出力するコントロールバルブ（第１のコントロールバルブ）、７９は上記レンジ圧及びコントロール圧を切替えるリレーバルブ（切替えバルブ）であり、上記コントロールバルブ及びリレーバルブは、主に車庫出し、車庫入れ等に用いられるので、便宜的に７７をガレージシフトコントロールバルブ、７９をガレージシフトバルブと称する。
【００２４】
なお、本実施の形態において、発進状態とは、不図示のシフトレバーによりＤレンジ又はＲレンジが切替えられ、上記ガレージシフトコントロールバルブ７７のコントロール圧によってクラッチＣ１及びブレーキＢ１が係合するまでの状態であり、走行状態とは、該発進状態以外の状態であって、上記ガレージシフトバルブ７９の切替えによる上記レンジ圧によってクラッチＣ１及びブレーキＢ１が係合している状態であることをいう。
【００２５】
一方、ＳＯＬ１及びＳＯＬ２は、不図示のソレノイドモジュレータバルブより出力される油圧を受けて、不図示のロックアップコントロールバルブ及び上記ガレージシフトバルブ７９を切替えるための信号圧Ｐｓｏｌ１，Ｐｓｏｌ２を出力するソレノイドバルブであり、ノーマルクローズタイプで油圧をオン・オフ制御する。更に、７８はオリフィス、８５はストレーナ、３５はセカンダリシーブ（プーリ）の油圧アクチュエータ（油圧サーボ）である。なお、図１において、他の部品は周知の油圧記号に従うものである。
【００２６】
ついで、上記構成に基づく作用について説明する。例えばエンジン回転に基づく不図示のオイルポンプの回転により、所定油圧が発生し、該油圧は、プーリ比及びスロットル開度（即ち、入力トルク）に基づき演算される制御部からの信号により制御されるリニアソレノイドバルブＳＬＴからのＳＬＴ圧Ｐｓｌｔに基づき、ライン圧（ＰＬ）に調圧される。更に、リニアソレノイドバルブＳＬＴの出力ポートａからのＳＬＴ圧Ｐｓｌｔは、油路ａ１を介してセカンダリシーブコントロールバルブ７３の制御油室７３ａに供給される。
【００２７】
また、上記リニアソレノイドバルブＳＬＴのＳＬＴ圧Ｐｓｌｔは、油路ａ２を介してガレージコントロールバルブ７７の制御油室（第１の制御油室）７７ａに供給され、該バルブ７７は、ポート７７ｂに入力されている油路ｃ４からのレンジ圧（詳しくは後述する）を直接制御圧（クラッチコントロール圧）に調圧してポート７７ｄから出力し、油路ｋ１を介してガレージシフトバルブ７９のポート７９ｅに供給する。
【００２８】
一方、クラッチモジュレータバルブ７６には、ポート７６ａに上記ライン圧ＰＬが入力され、ポート７６ｂから油路ｃ１及びストレーナ８５を介して油路ｃ２ないしｃ４にレンジ圧Ｐｃｍｏｄとして出力すると共に、一方の制御油室７６ｃに上記ポート７６ｂからのレンジ圧Ｐｃｍｏｄが入力されており、かつスプールがスプリング７６ｄにより上記制御油室７６ｃに向けて付勢されていると共に、小径プラグを介しての他方の制御油室７６ｅにマニュアルシフトバルブ７５のリバースポートＲからの油圧が油路ｂを介して供給されている。従って、該クラッチモジュレータバルブ７６は、ライン圧ＰＬが低い状態では、制御油室７６ｃに作用するフィードバック圧はスプリング７６ｄの予荷重に打勝つことなく、左半位置にあってライン圧ＰＬと略々同じレンジ圧Ｐｃｍｏｄを出力するが、ライン圧ＰＬが高くなると、それに応じてフィードバック圧も高くなり、スプリング７６ｄの予荷重に打勝つと、該スプリング７６ｄと制御油室７６ｃのフィードバック圧とのバランスにより、略々一定のレンジ圧（所定圧）Ｐｃｍｏｄを出力する。
【００２９】
なお、上記油路ｃ１のレンジ圧Ｐｃｍｏｄは、上記ストレーナ８５及び油路ｃ３を介してリニアソレノイドバルブＳＬＴの入力ポートｃに入力しており、また、不図示のソレノイドモジュレータバルブにも入力されている。該ソレノイドモジュレータバルブは、入力される上記レンジ圧Ｐｃｍｏｄを所定量減圧し、ソレノイドモジュレータ圧Ｐｓｏｌｍｏｄとしｔ各ソレノイドバルブＳＯＬ１、ＳＯＬ２、及び上記セカンダリシーブコントロールバルブ７３の制御油室７３ｅに供給する。
【００３０】
該セカンダリシーブコントロールバルブ７３は、上記油路ａ１を介して制御油室７３ａに入力されるＳＬＴ圧Ｐｓｌｔと、上記ソレノイドモジュレータバルブより制御油室７３ｅに入力されるソレノイドモジュレータ圧Ｐｓｏｌｍｏｄと、をスプール７３ｃに対向させる形で入力し、それら制御油室７３ａ及び制御油室７３ｅの油圧に基づいて、ポート７３ｂに入力されているライン圧ＰＬをセカンダリシーブ用圧に調圧してポート７３ｃに出力し、セカンダリ側油圧アクチュエータ３５に供給する。
【００３１】
一方、上記ソレノイドバルブＳＯＬ１の信号圧Ｐｓｏｌ１は、油路ｉ１を介してガレージシフトバルブ７９の制御油室７９ｆに接続されており、上記ソレノイドバルブＳＯＬ２の信号圧Ｐｓｏｌ２は、油路ｉ２を介してガレージシフトバルブ７９の制御油室７９ｃに接続されている。それにより、ソレノイドバルブＳＯＬ１及びソレノイドバルブＳＯＬ２が出力する信号圧Ｐｓｏｌ１，Ｐｓｏｌ２に基づき、ガレージシフトバルブ７９の切替え位置が制御される。
【００３２】
上記ガレージシフトバルブ７９が左半位置にある場合には、ポート７９ｅとポート７９ｂとが連通し、リニアソレノイドバルブＳＬＴのＳＬＴ圧Ｐｓｌｔによりコントロールされるガレージシフトコントロールバルブ７７の直接制御圧を油路ｋ１を介して入力し、油路ｌを介してマニュアルシフトバルブ７５のポートＰＭに出力する。つまり、この状態でＤレンジ又はＲレンジであると、リニアソレノイドバルブＳＬＴのＳＬＴ圧ＰｓｌｔによるクラッチＣ１及びブレーキＢ１の油圧サーボ３０，３１の直接制御の状態であり、これにより、特にＤレンジ又はＲレンジの切替え時や発進状態において、スロットル開度に基づいて出力されるリニアソレノイドバルブＳＬＴのＳＬＴ圧ＰｓｌｔによりクラッチＣ１及びブレーキＢ１の係合状態が制御される。
【００３３】
この際、ガレージシフトバルブ７９のポート７９ｂより出力される直接制御圧は、油路ｌ及び油路ｍを介してガレージシフトコントロールバルブ７７の制御油室７７ａに対向配置されている制御油室（第２の制御油室）７７ｃに入力され、つまり該ガレージシフトコントロールバルブ７７の出力する直接制御圧がフィードバックされて、従来と同様に（図３及び図４参照）、該ガレージシフトコントロールバルブ７７のフィードバック制御の状態となる。
【００３４】
該ガレージシフトバルブ７９が右半位置にある場合には、ポート７９ａとポート７９ｂとが連通し、上記プライマリレギュレータバルブに基づくクラッチモジュレータバルブ７６からのレンジ圧Ｐｃｍｏｄを入力し、マニュアルシフトバルブ７５のポートＰＭに出力する。つまり、この状態でＤレンジ又はＲレンジであると、クラッチモジュレータバルブ７６のレンジ圧ＰｃｍｏｄによるクラッチＣ１及びブレーキＢ１の油圧サーボ３０，３１のレンジ圧制御の状態であり、上述したクラッチモジュレータバルブ７６による略々一定のレンジ圧ＰｃｍｏｄによりクラッチＣ１及びブレーキＢ１の係合状態が制御される。これにより、特に車輌の走行状態において、上記クラッチＣ１及びブレーキＢ１の油圧サーボ３０，３１が過圧状態にならず、かつクラッチＣ１及びブレーキＢ１の係合状態が保持される。
【００３５】
この際、上述のように、セカンダリシーブの油圧サーボ３５を制御してプーリのトルク容量（挟持力）を制御するために、上記セカンダリシーブコントロールバルブ７３の制御油室７３ａにリニアソレノイドバルブＳＬＴが出力するＳＬＴ圧Ｐｓｌｔが入力されている。そのため、上記ガレージシフトバルブ７９によりガレージシフトコントロールバルブ７７からの直接制御圧が遮断されて、該ガレージシフトコントロールバルブ７７の制御が必要ない状態であるにも拘らず、リニアソレノイドバルブＳＬＴはスロットル開度などに基づき制御するＳＬＴ圧Ｐｓｌｔを出力しており、該ガレージシフトコントロールバルブ７７の制御油室７７ａに該制御されたＳＬＴ圧Ｐｓｌｔが入力されてしまう。
【００３６】
しかしながら、図２に示すように、ガレージシフトバルブ７９のポート７９ｂより出力されるレンジ圧Ｐｃｍｏｄが、油路ｌ及び油路ｍを介してガレージシフトコントロールバルブ７７の制御油室７７ａに対向配置されている制御油室７７ｃに入力されており、上記ＳＬＴ圧Ｐｓｌｔより大きい圧のレンジ圧Ｐｃｍｏｄが上記制御油室７７ｃに入力されて、該ガレージシフトコントロールバルブ７７は右半位置に固定状態となる。これにより、ポート７７ｂに入力されるレンジ圧Ｐｃｍｏｄが遮断されて、クラッチモジュレータバルブ７６から供給されるオイル、即ちオイルポンプから供給されるオイルがドレーンポートＥＸよりドレーン（排出）されることを防ぐことができる。
【００３７】
そして、ガレージシフトバルブ７９のポート７９ｂより出力される直接制御圧又はレンジ圧Ｐｃｍｏｄは、油路ｌを介して上記マニュアルシフトバルブ７５のポートＰＭに入力されており、該マニュアルシフトバルブ７５は、不図示のシフトレバーに連動されて、ドライバがシフトレバーによりＤレンジを選択した場合には、ポートＰＭとポートＤとを連通させて、油路ｄを介してクラッチＣ１の油圧サーボ３０に上記直接制御圧又はレンジ圧Ｐｃｍｏｄを供給する。また、ドライバがシフトレバーによりＲレンジを選択した場合には、ポートＰＭとポートＲとを連通させて、油路ｅを介してブレーキＢ１の油圧サーボ３１に上記直接制御圧又はレンジ圧Ｐｃｍｏｄを供給する。なお、ドライバがシフトレバーによりＤレンジ又はＲレンジからその他のレンジに切替えた場合には、油圧サーボ３０又は油圧サーボ３１の油圧が、油路ｄ又は油路ｅを介して、マニュアルシフトバルブ７５のドレーンポートＥＸよりドレーンされる。
【００３８】
以上のように本発明に係る自動変速機の油圧制御装置１によると、ガレージシフトバルブ７９の出力を、ガレージシフトコントロールバルブ７７の制御油室７７ｃに入力させる油路ｍを備えて、該ガレージシフトバルブ７９がガレージシフトコントロールバルブ７７より出力される直接制御圧を出力する際は、該直接制御圧を制御油室７７ｃに作用させてガレージシフトコントロールバルブ７７をフィードバック制御し、ガレージシフトバルブ７９がレンジ圧Ｐｃｍｏｄを出力する際は、該レンジ圧Ｐｃｍｏｄを制御油室７７ｃに作用させてガレージシフトコントロールバルブ７７を固定するので、ガレージシフトコントロールバルブより出力される直接制御圧を使用する際には、フィードバック制御することができるものでありながら、ガレージシフトコントロールバルブ７７より出力される直接制御圧を使用しない際には、該ガレージシフトコントロールバルブ７７を固定することができる。それにより、ガレージシフトコントロールバルブ７７の調圧を行わずに無駄なオイルの排出を防ぐことができるため、自動変速機の油圧制御装置１における消費油量を低減することができ、オイルポンプの小型化やオイルポンプの効率向上による車輌の燃費の向上を可能とすることができる。
【００３９】
また、リニアソレノイドバルブは、ＳＬＴ圧Ｐｓｌｔを複数のバルブ、つまり、ガレージシフトコントロールバルブ７７と、セカンダリシーブコントロールバルブ７３と、に該ＳＬＴ圧Ｐｓｌｔを出力するので、例えばガレージシフトコントロールバルブ７７を固定しないと、リニアソレノイドバルブＳＬＴによりセカンダリシーブコントロールバルブ７３を制御してプーリの挟持力を制御する際に、該ガレージシフトコントロールバルブ７７も同時に直接制御圧の調圧を行ってしまうが、該ガレージシフトコントロールバルブ７７を固定することができるので、直接制御圧の調圧を行わずに無駄なオイルの排出を防ぐことができ、それにより、自動変速機の油圧制御装置１における消費油量を低減することができるため、オイルポンプの小型化やオイルポンプの効率向上による車輌の燃費の向上を可能とすることができる。
【００４０】
なお、以上の本発明に係る実施の形態においては、無段変速機におけるガレージシフトコントロールバルブ７７のフィードバック制御と該ガレージシフトコントロールバルブ７７の固定とを行うものについて説明したが、これに限らず、コントロールバルブを使用する際にフィードバック制御を行い、該コントロールバルブを使用しない際に固定するものであれば、何れのものであってもよい。また、本実施の形態において、リニアソレノイドバルブＳＬＴがガレージシフトコントロールバルブ７７とセカンダリシーブコントロールバルブ７３とにＳＬＴ圧Ｐｓｌｔを出力するものについて説明したが、これに限らず、１本のソレノイドバルブが複数のバルブに出力するものであれば、何れのものであってもよい。
【図面の簡単な説明】
【図１】本発明に係る自動変速機の油圧制御装置の油圧回路を示す図。
【図２】図１の油圧回路の一部を示す模式図。
【図３】従来の自動変速機の油圧制御装置の油圧回路を示す図。
【図４】図３の油圧回路の一部を示す模式図。
【符号の説明】
１    自動変速機の油圧制御装置
３５    油圧サーボ（セカンダリシーブの油圧アクチュエータ）
７３    第２のコントロールバルブ（複数のバルブ、セカンダリシーブコントロールバルブ）
７６    調圧バルブ（クラッチモジュレータバルブ）
７７    第１のコントロールバルブ（複数のバルブ、ガレージシフトコントロールバルブ）
７７ａ    第１の油室（制御油室）
７７ｃ    第２の油室（制御油室）
７９    切替えバルブ（ガレージシフトバルブ）
ＳＬＴ    ソレノイドバルブ（リニアソレノイドバルブ）
ｍ    油路
Ｃ１    摩擦係合要素（クラッチ）
Ｂ１    摩擦係合要素（ブレーキ）
Ｐｓｌｔ    信号圧（ＳＬＴ圧）
Ｐｃｍｏｄ    油圧発生源の油圧（所定圧、クラッチモジュレータ圧、レンジ圧）
【図１】
0003810683.tif 000002
【図２】
0003810683.tif 000003
【図３】
0003810683.tif 000004
【図４】
0003810683.tif 000005